(57)【要約】  【課題】  先端がねじとなった円柱形ないし円筒形のロッドで、ねじ回し用工具を嵌合ないし係合させる嵌合部ないし係合部が形成されていないロッドを傷付けずに確実に締め付けて支障なくねじ回すことができるロッド締め付け具を提供する。  【解決手段】  ロッド締め付け具４は、ロッド１を挿入する円筒穴５ａを一端側に形成したレンチ部５と、その他端側に形成された軸受穴に回動可能に軸受けされ、角型レンチ２を嵌合させる角穴６ａと偏心カム７を備えた回動部６から構成される。円筒穴５ａにロッド１を挿入し、角形レンチ２を角穴６ａに嵌合させて回動部６をｃまたはｄ方向に回動させたとき、カム７が回動部６と共にレンチ部５に対して回動してロッド１を円筒穴５ａに対して締め付け、その後は角型レンチ２からの回動力がレンチ部５に伝わり、ロッド１をねじ回すことができる状態になる。【選択図】  図１
2005028547.tif 000002
【特許請求の範囲】
【請求項１】
先端がねじとなった円柱形ないし円筒形のロッドを挿入する円筒穴を一端側に形成したレンチ部と、
該レンチ部の他端側に形成された軸受穴に回動可能に軸受けされ、角型レンチを嵌合させる角穴と偏心カムを備えた回動部から構成され、
前記円筒穴にロッドを挿入し、角型レンチを前記角穴に嵌合させて回動部を回動させたとき、偏心カムがレンチ部に対して回動してロッドを円筒穴に対して締め付け、締め付け後は角型レンチからの回動力がレンチ部に伝わり、ロッドをねじ回すことができる状態になることを特徴とするロッド締め付け具。
【発明の詳細な説明】
【技術分野】
【０００１】
本発明は、一端がねじとなった円柱形ないし円筒形のロッドを締め付けてねじ回すために用いられるロッド締め付け具に関するものである。
【背景技術】
【０００２】
一端がねじとなった円柱形ないし円筒形のロッドをねじ回す場合、ロッドの上端面などにレンチやスパナなどのねじ回し用工具を嵌合ないし係合させる角穴などの嵌合部ないし係合部が形成されていれば、ねじ回し用工具を用いて支障なくねじ回すことができる。
【０００３】
しかし、そのロッドの用途に応じた設計上、上記の嵌合部ないし係合部をロッドに形成できない場合がある。従来では、このようなロッドをねじ回す場合、パイプレンチ、プライヤーなどの工具で挟んで締め付けてねじ回していた（特許文献１）。
【特許文献１】特開２００３−１７０３６５号公報（段落［００２２］〜［００３２］、図１）
【発明の開示】
【発明が解決しようとする課題】
【０００４】
しかしながら、上記のようなロッドをパイプレンチなどの工具で挟んでねじ回す場合、ロッドが円柱形のため滑り易く、うまくねじ回すことができず、滑らないように強い力で締め付けると、ロッドに深い傷をつけてしまう場合があるという問題があった。
【０００５】
そこで本発明の課題は、上記のようにねじ回し用工具を嵌合ないし係合させるための嵌合部ないし係合部が形成されていない円柱形ないし円筒形のロッドを傷付けずに確実に締め付けて支障なくねじ回すことができるロッド締め付け具を提供することにある。
【課題を解決するための手段】
【０００６】
上記の課題を解決するため、本発明によれば、
先端がねじとなった円柱形ないし円筒形のロッドを挿入する円筒穴を一端側に形成したレンチ部と、
該レンチ部の他端側に形成された軸受穴に回動可能に軸受けされ、角型レンチを嵌合させる角穴と偏心カムを備えた回動部から構成され、
前記円筒穴にロッドを挿入し、角型レンチを前記角穴に嵌合させて回動部を回動させたとき、偏心カムがレンチ部に対して回動してロッドを円筒穴に対して締め付け、締め付け後は角型レンチからの回動力がレンチ部に伝わり、ロッドをねじ回すことができる状態になるロッド締め付け具の構成を採用した。
【発明の効果】
【０００７】
以上の説明から明らかなように、本発明のロッド締め付け具によれば、先端がねじとなった円柱形ないし円筒形のロッドを偏心カムにより円筒穴に対して締め付けるので、これを用いることにより、ねじ回し用工具を嵌合ないし係合させる嵌合部ないし係合部が形成されていない円柱形ないし円筒形のロッドを傷付けずに確実に締め付けて支障なくねじ回すことができるという優れた効果が得られる。
【発明を実施するための最良の形態】
【０００８】
以下、添付図面を参照して本発明の実施例を詳細に説明する。
【実施例】
【０００９】
図１〜図３に示す本実施例のロッド締め付け具４は、図１のように先端がねじ１ａとなった円柱形のロッド１をラチェットレバー２ｂを備えた角型レンチ２で機械部品３などにねじ込んだり、外したりするために用いられる。ロッド１は、単純な円柱形であって、レンチなどのねじ回し用の工具を嵌合ないし係合させる嵌合部ないし係合部は形成されていない。なお、ロッド１は円筒形、すなわち管（パイプ）としても良い。
【００１０】
ロッド締め付け具４は、レンチ部５と、偏心カム７を備えた回動部６から構成され、回動部６はレンチ部５に対して回動可能に取り付けられている。
【００１１】
レンチ部５は、上面と下面が略卵形の平面に形成されており、その一端側の下面にロッド１を挿入する円筒穴５ａが形成されている。円筒穴５ａの前記一端側には断面形状が略半円形の溝５ｂ（図２参照）が上下方向に沿って形成されている。この溝５ｂはロッド１を締め付けるときに角部５ｆの作用でロッド１とレンチ部５の滑りを止める役目を果たす。また円筒穴５ａの偏心カム７より高い天井部（上端部）の側面に逃げ溝５ｇが形成されており（図３参照）、ロッド１の先端を円筒穴５ａの天井面５ｈまで挿入することにより、ロッド１の先端（切り口部）のバリ、ないし硬化肉盛の溶出したものが偏心カム７に当たって滑りを生ずることを防いでいる。また、レンチ部５の他端側には、レンチ部５の高さ方向の中間部に水平な切り欠き部５ｃが前記他端から円筒穴５ａに連通する位置まで形成されており、さらに切り欠き部５ｃの上下に径が大きな軸受穴５ｄと径が小さな軸受穴５ｅが同心に形成されている（図３参照）。
【００１２】
回動部６は、上から順次４段階に径が小さくなる円柱形に形成されており、上から２段目と最下段の４段目の円柱形の部分をそれぞれ軸部６ｂ，６ｄとしてレンチ部５の軸受穴５ｄ，５ｅに回動可能に嵌合させることにより、軸受穴５ｄ，５ｅに回動可能に軸受される。なお、軸部６ｄの下端部に形成された穴６ｅに不図示のピンが挿通されることにより回動部６が抜け止めされる。また、回動部６の上端部には、角型レンチ２の先端部に設けられた断面が正方形の嵌合部２ａを嵌合させるための略直方体形状の角穴６ａが形成されている。さらに回動部６の３段目でレンチ部５の切り欠き部５ｃに位置する部分は、断面が略正方形の角軸部６ｃとして形成されている。この角軸部６ｃに偏心カム７が取り付けられる。
【００１３】
偏心カム７は図２及び図４に示すように左右対称の略ハート形状に形成されており、そのハート形状の下端に相当する一端側に摘み７ａが形成され、中央部に角穴７ｂが形成されている。そして、角穴７ｂを回動部６の角軸部６ｃに嵌合させることにより、回動部６に取り付けられ、レンチ部５の切り欠き部５ｃ内で回動部６と一体的に回動可能に軸支されている。また、偏心カム７は、レンチ部５の切り欠き部５ｃが円筒穴５ａに連通している部分の開口部に臨んでおり、図２に示すホームポジションとしての回動位置にある状態では、そのハート形状の頭のへこみ７ｃの両側部分の縁が円筒穴５ａの縁に一致する。
【００１４】
このようなロッド締め付け具４を用いて角型レンチ２でロッド１をねじ回すときには、まず摘み７ａを摘んで偏心カム７を回動部６と共に図２のホームポジションに回動させておいてから、図１中の矢印ａで示すようにレンチ部５の円筒穴５ａにロッド１を挿入する。ここでロッド１の径が円筒穴５ａより小さいものとすることは勿論であるが、図２にロッド１の径が異なる２つの円周を示してあるように、ロッド１の径は特に限定されず、偏心カム７の形状、寸法などにより決まる所定の範囲内であれば後述のように締め付けてねじ回すことができる。このようにロッド１を挿入した後、図１中の矢印ｂで示すように、角型レンチ２の嵌合部２ａを回動部６の角穴６ａに挿入し、嵌合させる。そして、ロッド１を機械部品３にねじ込む場合は矢印ｃ方向、外す場合は逆の矢印ｄ方向に角型レンチ２を回動させる。
【００１５】
ここで矢印ｃ方向に回動させるものとすると、その回動により、まず回動部６と偏心カム７がレンチ部５に対して軸受穴５ｄ，５ｅを中心にｃ方向に回動する。そして、所定角度まで回動させると、図４（Ａ）に示すように、回動する偏心カム７のへこみ７ｃより左側の膨れた部分が円筒穴５ａ内に入り、ロッド１を押圧して円筒穴５ａに対し滑らないように締め付ける。ここで、図４（Ｂ）に示すように、ロッド１の径が小さくなるほど締め付けるまでの偏心カム７の回動角度が大きくなる。
【００１６】
このようにロッド１が円筒穴５ａに締め付けられた状態では、偏心カム７がロッド１に当接しているので、偏心カム７と回動部６がレンチ部５に対してｃ方向に係止される。このため、角型レンチ２により回動部６にさらにｃ方向への回動力が加えられると、その回動力がそのままレンチ部５に伝わり、レンチ部５がｃ方向に回動し、これに締め付けられたロッド１もｃ方向に回動し、機械部品３にねじ込まれる。
【００１７】
なお、機械部品３にねじ込まれたロッド１を外す場合は、角型レンチ２を矢印ｄ方向に回動させるが、その場合の動作は、上記の動作と回動方向が逆になるだけで同様であることは勿論である。
【００１８】
以上のような本実施例のロッド締め付け具４によれば、ロッド１を円筒穴５ａの内側面、すなわち円筒面に対してハート形状の偏心カム７の曲面で押圧して締め付けるので、その際にロッド１を傷付けることがなく、これを用いてロッド１を傷付けずに確実に締め付けて支障なくねじ回すことができる。
【図面の簡単な説明】
【００１９】
【図１】本発明の実施例によるロッド締め付け具の構造と、これを用いて角型レンチによりロッドをねじ回す様子を示す斜視図である。
【図２】同ロッド締め付け具のレンチ部の円筒穴と偏心カムとの位置関係と、偏心カムの形状などを示す一部透視平面図である。
【図３】同ロッド締め付け具の構造を示す縦断側面図である。
【図４（Ａ）】所定のロッドの径での偏心カムによるロッド締め付け動作の説明図である。
【図４（Ｂ）】ロッドの径が異なる場合の偏心カムによるロッド締め付け動作の説明図である。
【符号の説明】
【００２０】
１  ロッド
２  角型レンチ
３  機械部品
４  ロッド締め付け具
５  レンチ部
５ａ  円筒穴
５ｂ  溝
５ｃ  切り欠き部
５ｄ，５ｅ  軸受穴
６  回動部
６ａ  角穴
６ｂ，６ｄ  軸部
６ｃ  角軸部
７  偏心カム
７ａ  摘み
７ｂ  角穴
【図１】
2005028547.tif 000003
【図２】
2005028547.tif 000004
【図３】
2005028547.tif 000005
【図４（Ａ）】
2005028547.tif 000006
【図４（Ｂ）】
2005028547.tif 000007